(57)【要約】【構成】移動可能でファンと振動手段を備えた装置本体枠（１）に対して粉体塗料捕捉回収用カセット（４）が装脱可能であり、同カセット（４）は開閉蓋（７ａ）（７ｂ）（２１ａ）により開閉可能である。粉体塗料捕捉回収用カセット（４）は、粉体塗料の捕捉と回収手段を備えている。【効果】装置本体枠（１）を１台備えれば、使用する塗料の色の数分だけ粉体塗料捕捉回収用カセットを備えればよい。【選択図】図１
2004195442.tif 000002
【特許請求の範囲】
【請求項１】
内部にフィルター装置と、当該フィルター装置を強制振動させる振動手段と、それらの下方に塗料回収箱を備えた粉体塗料捕捉回収用カセットを、背部に吸気手段と上記振動手段の駆動手段を備えた装置本体枠に装脱可能に構成した粉体回収装置。
【発明の詳細な説明】
【０００１】
【発明の属する技術分野】
本発明は、本発明出願人が先に提案した粉体回収装置の改良技術の提案に関し、この先願発明は、塗装業界における粉体塗装において、被塗装物に付着せずに前方に突き抜けた粉体塗料を効率良く回収し再利用に供するための粉体回収装置に係るものであるが、本発明は、当該装置の改良技術の提案に関する。
【０００２】
【従来の技術】
静電気を利用した粉体塗料を用いて行う粉体塗装は、従来の吹付塗装に比べ、塗膜の厚い、やわらかい感触の製品仕上がりが期待できることから、近年目覚ましい需要の伸びをみせている。
【０００３】
ところが、この粉体塗装は、後方に配置した空気吸引手段の前で、被塗装物に向けてエアガンから粉体塗料を吹付ける（エアガンから被塗装物に向けて噴射された粉体塗料は、同時に、上記空気吸引手段により強く引っ張られる）という作業形態を成す。
【０００４】
このような作業形態を余儀なくされている為に、被塗装物への粉体塗料の付着率は５０％に満たないのが実態である。
そして、被塗装物にせずに突き抜けた粉体塗料は、空気に混入した状態で、空気吸引手段の後方に配置した排気装置に導かれ、同排気装置内で水に打たれた粉体塗料は水中に沈殿し、空気は排気口から大気中に放出されることになる（これでも粉体塗料を完全には除去できず、粉体塗料の混じった空気を大気中に放出してしまうという公害上の問題も抱える）。
上記により、水中に沈殿した粉体塗料は取り出され、産業廃棄物として棄てられているのが実情である。
【０００５】
このように、粉体塗料は、前記の如き製品品質上の利点を有するものの、高価な材料である粉体塗料を大量に無駄にするという資源効率、経営効率面のマイナスに加え、大気汚染を招くという公害上の問題と、産業廃棄物の処理問題が付随するという大きな欠陥を抱えている。
【０００６】
本出願人は、このような欠陥を一挙に解決する技術を模索した結果、冒頭にも記したように、被塗装物に付着せずに突き抜けた（従来は棄てられていた）粉体塗料を効率良く回収し、再利用に供し得るように成した粉体塗料回収装置を先に提案した。
【０００７】
すなわち、上記先願発明は、吸気手段の前面に、フィルター装置を立設させて、被塗装物に付着せずに突き抜けた粉体塗料を同フィルターにて捕捉させ、そして、このフィルター装置を振動装置により強制振動させ、捕捉した粉体塗料をフィルター装置から振るい落とし回収・再利用に供し得るように成したものであり、これは要するに、従来は棄てていた粉体塗料を極めて高い確率で回収し、再利用可能と成したものであり、資源効率の抜本改革と大気汚染の発生を抜本抑制させるという、極めて実用価値の高い発明である。
【０００８】
ところで、塗装作業現場では、通常何種類かの色の塗料が使われており、本発明は、この現場の実情に的確に対応すべく提案に及んだものである。
【０００９】
すなわち、先願発明は、被塗装物に付着せずに突き抜けた粉体塗料を効率良く捕捉・回収し再利用に供し得るようにしたことにおいて、その目的を十二分に達成せしめたものであるが、何種類かの色の塗料を使用する現場における現実に対して、どのような作業現場にも過不足なく応えるという点で、改良の余地を認識するに至っことにより、本発明の提案に及んだものである。
【００１０】
【発明が解決しようとする課題】
その改良の余地とは、作業現場では、使う塗料の色の数の分だけ先願発明装置（全体）そのものを設置しなければならず、設置費用の点と、設置スペースの点で、経済的、物理的に当該装置を導入出来ないという作業現場があるという現実的な問題があることであり、本発明では、これらの問題を一挙に解消させることを解決課題とするものである。
【００１１】
【課題を解決するための手段】
本発明では、内部にフィルター装置と、当該フィルター装置を強制振動させる振動手段と、それらの下方に塗料回収箱を備えた粉体塗料捕捉回収用カセットを、背部に吸気手段と上記振動手段の前後駆動手段を備えた本体枠に装脱可能に構成した粉体塗料回収装置を完成させたことにより、上記課題を解決させたものである。
【００１２】
すなわち、本発明装置の完成は、作業現場の立場に立てば、本体枠を１台備えれば、あとは使用する塗料の色の数分だけ粉体塗料捕捉回収用カセットを備えることにより、複数の色の粉体塗料の塗装作業が行われる場合に、塗料の色に対応する上記粉体塗料捕捉回収用カセットを選択的に本体枠に取付けければ、その要望は的確・迅速に満たされるものであり、費用の大幅節約と、大幅な省スペース効果を同時に達成することができる。
【００１３】
【発明の実施の形態】
以下、本発明の一実施例を示した添付図面に基づき説明する。
（１）は装置本体枠で、該本体枠（１）の台板（１ａ）の裏面には複数個の車輪（２）が取付けられており、装置本体枠（１）は任意の方向に移動可能になっている。
【００１４】
この装置本体枠（１）の台板（１ａ）上には、一対のレール（３ａ）（３ｂ）が敷設されており、さらに、該一対のレール（３ａ）（３ｂ）上には、粉体塗料捕捉回収用カセット（４）を載置し移動させるための有底の台枠（５）が移動可能に嵌装されている。
【００１５】
すなわち、台枠（５）の下面所定位置にはローラー（図示せず）が回動自在に嵌着されており、該ローラーの働きにより、台枠（５）は、レール（３ａ）（３ｂ）上を前後（「図３」上では、矢示《ａ》《ｂ》方向）に摺動するものである。
【００１６】
よって、同台枠（５）に粉体塗料捕捉回収用カセット（４）を載せることにより、同カセット（４）を装置本体枠（１）の台板（ａ）上を前後（「図３」上では矢示《ａ》《ｂ》方向）に移動させることができる。
【００１７】
次に、粉体塗料捕捉回収用カセット（４）について、「図３」を主体に説明するに、同図は、台枠（５）に粉体塗料捕捉回収用カセット（４）を載せた状態であって、かつ塗装作業にかかる前の状態を示すもので、塗装作業に入るにあたっては、「図１」において示す掛止具（６）にて止められて実線位置（同カセット《４》の前面が塞がれている状態）にある上下の開閉蓋（７ａ）（７ｂ）を、「図１」に示す掛止具（６）による掛止めを解除し、各々を点線位置まで展開操作してやれば、同カセット（４）の前面が開口されるようになっている。
【００１８】
（８）は、粉体塗料捕捉用のフィルターであり、カセット本体枠（４ａ）に揺動自在に吊下げられている。
【００１９】
（９）は固定金網枠であり、カセット本体枠（４ａ）に上下端が夫々固設されており、常に「図３」の如く垂直姿勢にて固定されている。
【００２０】
（１０）は揺動金網枠であり、カセット本体枠（４ａ）の頂部内壁に下向に垂設された支持体（１１）に揺動可能に吊下げられている。
【００２１】
ここでさらに、「図４」も参照しながら説明するに、この揺動金網枠（１０）の下方部には、カム機構、往復動シリンダー等、公知の手段が採用される前後往復駆動源（１２）の駆動腕（１２ａ）に先端部が取付けられている駆動軸（１３）の基端部が取付（１４）られており、同駆動軸（１３）により、揺動金網枠（１０）は支持体（１１）への取付部を支点として強制駆動が（強制的な揺動が）なされるようになっている。
【００２２】
上部の開閉蓋（７ａ）と下部の開閉蓋（７ｂ）とは、夫々カセット本体枠（４ａ）に蝶番（１５）にて蝶設されており、「図３」に示す如く、実線位置（粉体塗料捕捉回収用カセット《４》の前面が閉じられた状態）と点線位置（同カセット《４》の前面が開口された状態）とに任意に展開操作できるようになっている。
【００２３】
尚、（１６）は、粉体塗料回収箱（２１）、上部の開閉蓋（７ａ）および下部の開閉蓋（７ｂ）を夫々展開（開閉）操作をするための取手である。
【００２４】
カセット本体枠（４ａ）の背面板（４ａ１）には、通気穴（１７）が打ち抜かれており、また同通気穴（１７）の裏側には、この通気穴（１７）の位置に合致させて、装置本体枠（１）の垂壁（１ｂ）に打ち抜かれた通気穴（１ｃ）が設けられ、さらに、該通気穴（１ｃ）に合致させて垂壁（１ｂ）の裏面にファン（１８）が取り付けられており、このファン（１８）を作動させることにより、通気穴（１７）（１ｃ）を介して前方（粉体塗料捕捉回収用カセット《４》内等）の空気を吸引するようになっている。
【００２５】
また、上記カセット本体枠（４ａ）の背面板（４ａ１）の裏面には、通気穴（１７）を囲んで弾性材（１９）が固着されており、さらに、同弾性材（１９）の下方部にも弾性材（２０）が固着されている。
【００２６】
弾性材（１９）は、ファン（１８）により吸引する時において、前方の空気（粉体塗料捕捉回収用カセット《４》内等の空気）をより効率良く吸引するための密閉空間を形成するための役割を果たしている。
【００２７】
すなわち、弾性材（１９）は、カセット本体枠（４ａ）と装置本体枠（１）の垂壁（１ｂ）とが対面密接されたとき、カセット本体枠（４ａ）の背面板（４ａ１）と装置本体枠（１）の垂壁（１ｂ）面との空間を同弾性材（１９）にて完全に塞ぐことにより、粉体塗料捕捉回収用カセット（４）内等の空気を、ファン（１８）にて効率的に吸引できるようにするために設けたものである。
【００２８】
また、弾性材（２０）は、上記弾性材（１９）により密閉空間を形成させる時に、背面板（４ａ１）と装置本体枠（１）の垂壁（１ｂ）面との平行度を保つことにより、その密閉作用の完璧性を期すために設けたものである。
【００２９】
さらに、粉体塗料捕捉回収用カセット（４）の底部は、粉体塗料回収箱（２１）に形成されており、フィルター（８）から落下した粉体塗料を回収するようになっている。
【００３０】
粉体塗料捕捉回収用カセット（４）を使用に供するときは、「図１」に示すように、粉体塗料回収箱（２１）は、掛止具（６）によりカセット本体枠（４ａ）に掛け止められ垂直姿勢が保持されているが（「図３」も参照）、粉体塗料回収箱（２１）に溜まった粉体塗料（ｐ）を取り出すときは、締止具（２３）による粉体塗料捕捉回収用カセット（４）の装置本体枠（１）への固定を解除して（「図１」参照）、粉体塗料捕捉回収用カセット（４）を装置本体枠（１）から取り外し、そこで掛止具（６）によるカセット本体枠（４ａ）への掛け止めを解除し、そこでさらに、取手（１６）を手前に引いて行けば、カセット本体枠（４ａ）に蝶番（１５）にて蝶設されている粉体塗料回収箱（２１）の前面蓋（２１ａ）が斜め手前に倒されて行き、粉体塗料回収箱（２１）の上部が任意角度開口されるから、その開口部に適宜の掬具を差入れて同回収箱（２１）内の粉体塗料を取り出せばよい。
【００３１】
尚、本実施例では示していないが、粉体塗料回収箱（２１）は、抽斗構造にすることなども容易に設計可能である。
【００３２】
また。図示していないが、粉体塗料捕捉回収用カセット（４）の背面には、蓋が着脱できるようになっており、不使用時には蓋を取り付けておくことにより、同カセット（４）内に埃や塵が侵入するのを阻止できるようになっている。
【００３３】
揺動金網枠（１０）に基端部が取付けられた駆動軸（１３）は、フィルター（８）、固定金網枠（９）、および背面板（４ａ１）に設けられた穿穴（２２）を貫通して先端部が垂壁（１ｂ）の裏面から突出するから、垂壁（１ｂ）の裏面に取付けられた前後往復駆動源（１２）の駆動腕（１２ａ）にその先端部を治具を用いて締付固定する。
【００３４】
そして、粉体塗料捕捉回収用カセット（４）の取替に当っては、締止具（２３）によるカセット本体枠（４ａ）の装置本体枠（１）への固定を解除するとともに、治具で駆動腕（１２ａ）から駆動軸（１３）の先端部を取り外し、さらに粉体塗料捕捉回収用カセット（４）を手前側に引き戻して穿穴（２２）から駆動軸（１３）を引き抜き、台枠（５）に粉体塗料捕捉回収用カセット（４）を積み替えるようにする。
【００３５】
台枠（５）に新しく粉体塗料捕捉回収用カセット（４）を載せたら、同カセット（４）を前方に押し込めば、駆動軸（１３）が穿穴（２２）を突き抜けるので、前後往復駆動源（１２）の駆動腕（１２ａ）に駆動軸（１３）の先端部を取付固定すればよい。
【００３６】
尚、人手による粉体塗料捕捉回収用カセット（４）の装置本体枠（１）への積み替えを補助するために、「図５」に示すような手段を用いることもよい。
【００３７】
すなわち、（２４ａ）（２４ｂ）は、粉体塗料捕捉回収用カセット（４）を保持し吊り上げるための吊持細材であり、同細材（２４ａ）（２４ｂ）は、支持本枠（２５）の下面に固着された駆動体（２６）に連結されており、駆動体（２６）により、伸び出したり縮み込んだりするようになっている。
【００３８】
支持本枠（２５）を構成する支持立柱（２５ａ）は、任意の取付体（たとえば、装置本体枠《１》）に取付けられるもので、同じく吊持横材（２５ｂ）は、矢示のように支持立柱（２５ａ）に対して水平回動可能に構成されている。
【００３９】
したがって、図のように、吊持細材（２４ａ）（２４ｂ）の先端掛部を粉体塗料捕捉回収用カセット（４）に引っ掛けたら、駆動体（２６）により吊持細材（２４ａ）（２４ｂ）を縮み込ませることにより塗料捕捉回収用カセット（４）を持ち上げ、さらに吊持横材（２５ｂ）を水平回動させることにより同カセット（４）を目的個所（たとえば台枠《５》）に運ぶことが出来る。
【００４０】
以下、本発明の操作手順を説明する。
「図２」に示す状態にある装置本体枠（１）に対して、任意位置にある台枠（５）を手前側に引いて、同台枠（５）に粉体塗料捕捉回収用カセット（４）を載せ、同カセット（４）を奥に押し込む。
【００４１】
粉体塗料捕捉回収用カセット（４）を突き当たるまで押し込むと、装置本体枠（１）の垂壁（１ｂ）面にカセット本体枠（４）の背面板（４ａ１）が密接した状態、すなわち弾性材（１９）（２０）が垂壁（１ｂ）面に押し付けられた状態となるので、そこで、「図１」に示す締止具（２３）を操作して、粉体塗料捕捉回収用カセット（４）を装置本体枠（１）に固定する（「図１」参照）。
【００４２】
一方、上記操作により、駆動軸（１３）は、装置本体枠（１）の垂壁（１ｂ）の穿穴（２２）を突き抜け垂壁（１ｂ）の裏面に突き出るから、そこで、駆動軸（１３）の先端部を前後往復駆動源（１２）の駆動腕（１２ａ）に取付固定する。
【００４３】
次に、掛止具（６）による上下の開閉蓋（７ａ）（７ｂ）のカセット本体枠（４ａ）への固定を解除し、上下の開閉蓋（７ａ）（７ｂ）を「図３」における点線位置まで開き、粉体塗料捕捉回収用カセット（４）の前面を開口させる。
【００４４】
そこで、ファン（１８）に電源を入れたら、本発明装置の前で、エアガンを用いて粉体塗料の塗装作業を行う。
エアガンから放たれた粉体塗料は、一部は被塗装物に付着するし、一部は突き抜けて粉体塗料捕捉回収用カセット（４）内に突き進む。
【００４５】
このとき、突き抜けた粉体塗料は、エアガンの噴射力に加えて、ファン（１８）による吸引作用を受けてファン（１８）方向に引っ張られている。
【００４６】
突き進んだ粉体塗料は、揺動金網枠（１０）を通過し、フィルター（８）にて捕捉される。
フィルター（８）にて捕捉された粉体塗料は、一部は自重で落下して粉体塗料回収箱（２１）内に落ち、一部はフィルター（８）に捕捉されたまま残留する。
【００４７】
塗装作業が終了したら、前後往復駆動源（１２）に電源を入れると（作業中に適宜電源を入れることもよい）、駆動軸（１３）にて駆動され、揺動金網枠（１０）は激しくフィルター（８）に突き当たる。
【００４８】
この揺動金網枠（１０）の作動により、フィルター（８）は激しく振動し、このフィルター（８）の作用によりフィルター（８）に捕捉されたままの（フィルター《８》にくっ付いている）粉体塗料は叩き落され、粉体塗料回収箱（２１）内に落下する。
【００４９】
この粉体塗料の叩き落しが済んだら、前後往復駆動源（１２）の電源を切り、駆動軸（１３）の駆動腕（１２ａ）への取付固定を解き、それと共に、「図３」の点線図示のように開いた上下の開閉蓋（７ａ）（７ｂ）を閉め、掛止具（６）によりカセット本体枠（４ａ）に掛止するが（実線位置に戻す）、このとき、この下部の開閉蓋（７ｂ）の操作により、上記塗装作業により開閉蓋（７ｂ）上に落下している粉体塗料は粉体塗料回収箱（２１）内に滑り落ちる。
【００５０】
尚、粉体塗料捕捉回収用カセット（４）を取り外して、別の粉体塗料捕捉回収用カセット（４）を取付ける前に、装置本体枠（１）をシャワー洗浄することにより、装置本体枠（１）に前に使用した塗料が付着残存するのを回避でき、そのために、装置本体枠（１）の台板（１ａ）の下面にはドレン機構（図示せず）が設けられている。
【００５１】
【発明の効果】
本発明よれば、作業現場の立場に立てば、装置本体枠を１台備えれば、あとは使用する塗料の色の数分だけ粉体塗料捕捉回収用カセットを備えることにより、複数の色の粉体塗料の塗装作業が行われる場合に、塗料の色に対応する上記粉体塗料捕捉回収用カセットを選択的に装置本体枠に取付けければ、その要望は的確・迅速に満たされるものであり、費用の大幅節約と、大幅な省スペース効果を同時に達成することができる。
【図面の簡単な説明】
【図１】・・・粉体塗料捕捉回収用カセットを取付けた状態の本発明装置の正面全体図。
【図２】・・・粉体塗料捕捉回収用カセットを取付けていない状態の本発明装置の正面全体図。
【図３】・・・粉体塗料捕捉回収用カセットの中央縦断面図。
【図４】・・・本発明装置の背面図。
【図５】・・・粉体塗料捕捉回収用カセット運搬用の補助手段の一例を示す斜視図。
【符号の説明】
１・・・装置本体枠
１ａ・・・台板
１ｂ・・・垂壁
２・・・車輪
３ａ、３ｂ・・・レール
４・・・粉体塗料捕捉回収用カセット
４ａ・・・カセット本体枠
４ａ１・・・背面板
５・・・台枠
６・・・掛止具
７ａ、７ｂ・・・開閉蓋
８・・・フィルター
９・・・固定金網枠
１０・・・揺動金網枠
１１・・・支持体
１２・・・前後往復駆動源
１２ａ・・・駆動腕
１３・・・駆動軸
１４・・・取付部
１５・・・蝶番
１６・・・取手
１７・・・通気穴
１８・・・ファン
１９・・・弾性材
２０・・・弾性材
２１・・・粉体塗料回収箱
２１ａ・・・前面蓋
２２・・・穿穴
２３・・・締止具
２４ａ、２４ｂ・・・吊持細材
２５・・・支持本枠
２５ａ・・・支持立柱
２５ｂ・・・吊持横材
２６・・駆動体
【図１】
2004195442.tif 000003
【図２】
2004195442.tif 000004
【図３】
2004195442.tif 000005
【図４】
2004195442.tif 000006
【図５】
2004195442.tif 000007